(57)【要約】【課題】  部品を小型化するとともに共通化し、スタンダード型およびリバース型に容易に変更することができ、スタンド高さの変更も容易で、生産性に優れたカード用コネクタを提供する。【解決手段】  カード用コネクタ１はコンタクト７を有し、コンタクト７には、ベースフレーム３が設けられている。  ベースフレーム３の側部にはサイドフレーム５ａ、５ｂが設けられている。  このように、カード用コネクタ１はベースフレーム３、サイドフレーム５ａ、サイドフレーム５ｂが別体の部品となっている。  ベースフレーム３はサイドフレーム５ａ、サイドフレーム５ｂのいずれとも連結可能な左側部４３ａ、右側部４３ｂを有している。  サイドフレーム５ａ、５ｂをそれぞれ左側部４３ａ、右側部４３ｂと連結すると、スタンダード型となり、サイドフレーム５ａ、５ｂをそれぞれ右側部４３ｂ、左側部４３ａと連結すると、リバース型となる。【選択図】      図１
2009146765.tif 000002
【特許請求の範囲】
【請求項１】
基板上に搭載され、該基板とカードを電気的に接続するカード用コネクタであって、
前方に開口するカード挿入空間を有し、該カード挿入空間の内壁部に前記カードの挿入向きを規定するキーを有するベースフレームと、
前記ベースフレームに保持され、一端が前記挿入空間内に突出する複数のコンタクトと、
前記ベースフレームの左右両側部から前方に延び、前記カードを前記挿入空間内の前記コンタクトに接続案内する左右一対のサイドフレームとを備え、
前記サイドフレームの下面には基板に対する取り付けスタンドが設けられているカード用コネクタにおいて、
前記ベースフレームは、その左右両側部に第１の係合部を有し、前記左右一対のサイドフレームは、前記ベースフレームの左右両側部と対向する内側部に第２の係合部を有し、前記第１の係合部を前記第２の係合部に係合することにより、前記左右一対のサイドフレームを前記ベースフレームの両側部に連結してなることを特徴とするカード用コネクタ。
【請求項２】
前記第１の係合部と前記第２の係合部は、前記ベースフレームの左右両側部に前記一対のサイドフレームの左右を入れ替えてかつ上下反転させて係合可能であるように構成されていることを特徴とする請求項１記載のカード用コネクタ。
【請求項３】
前記第１の係合部は、前記ベースフレームの左右両側部の左右各側面高さ方向中央部から前方または後方に向けて突出した係合突起であり、前記第２の係合部は、前記ベースフレームの両側部が嵌入する凹部と、該凹部の底部に前記係合突起が挿通、係合するように設けられた係合穴とからなることを特徴とする請求項２記載のカード用コネクタ。
【請求項４】
前記係合突起は、前記左右各側面の前端から前方に突出していることを特徴とする請求項３記載のカード用コネクタ。
【請求項５】
前記係合突起は、前記左右各側面の後端から後方に突出していることを特徴とする請求項３記載のカード用コネクタ。
【請求項６】
前記第１の係合部は、前記ベースフレームの左右両側部の左右各側面高さ方向中央部に設けられた前後方向に延びる蟻ホゾであり、
前記第２の係合部は、後方に開口し前記ベースフレームの両側部が嵌入する凹部と、該凹部の底部に設けられた前記蟻ホゾが係合する蟻溝であることを特徴とする請求項２記載のカード用コネクタ。
【請求項７】
前記カード用コネクタは、前記ベースフレームの後面から突出する前記コンタクトに挿通され該コンタクトを整列させるロケータをさらに有し、
該ロケータの左右両端部を前記左右のサイドフレームの後端部に連結してなることを特徴とする請求項１記載のカード用コネクタ。
【発明の詳細な説明】
【技術分野】
【０００１】
本発明は、基板上に搭載するカード用コネクタに関する。
【背景技術】
【０００２】
ＰＣカード等の拡張カードは、コンピュータ等の情報機器への通信機能、描画機能の付加もしくは強化、記憶領域の追加等に広く用いられている。
【０００３】
ここで、ＰＣカードを情報機器に接続するに際しては、情報機器のマザーボード等の基板とＰＣカードとを接続するためのカード用コネクタが必要となる。
【０００４】
カード用コネクタには種々の構造があるが、基板とＰＣカードを電気的に接続するコンタクトと呼ばれる端子と、コンタクトを保持するベースフレームを備えたものが多い。
【０００５】
さらに、ＰＣカードをコンタクトと接続する際のガイドとなるサイドフレームを有するものが一般的である。
【０００６】
例えば、特許文献１の図１には、端子１６（コンタクト）を保持する端子取り付け後部区分２０（ベースフレーム）と、後部区分２０の両端から前方に延びるカードを挿入する際のガイドとなる長手方向側壁区分２２、２４（サイドフレーム）とが一体に形成されたハウジング１２［フレーム］とを有し、長手方向側壁区分２２、２４（サイドフレーム）の下面には、基板に対する取り付け高さを規定する取り付けポスト２２ａ、２４ａ（スタンド）を形成してなるカード用コネクタ１０が開示されている。
【０００７】
【特許文献１】特開２００４−２３５１５９号公報
【発明の開示】
【発明が解決しようとする課題】
【０００８】
しかしながら、カード用コネクタには、基板の表側に接続されるスタンダード型と、基板の裏側に接続されるリバース型の２種類があり、両型ともにカード挿入時のカード面を同一にするところから、ベースフレーム部分は上下左右方向で同一構成とし、スタンド部分を、スタンダード型ではサイドフレームの下側に、リバース型ではサイドフレームの上側に設ける必要があるが、特許文献１の構造では、ベースフレームとサイドフレームが一体に形成されており、いずれか一方にしか使用できない。
【０００９】
そのため、用途に応じてスタンダード型、リバース型の２種類のフレームを別々に生産し用意しなければならず、カード用コネクタの生産性が悪いという問題があった。
【００１０】
また、カード用コネクタは、用途によって基板上での取り付け高さが異なる。
【００１１】
しかしながら、特許文献１のフレーム構造では、ベースフレームとサイドフレームが一体に形成されているため、スタンド高さの異なるフレームを別々に生産し用意しなければならず、この点でも生産性が悪いという問題があった。
【００１２】
さらに、ベースフレームとサイドフレームが一体に形成されたフレームでは、部品が大型化し、また、形状が複雑となるため、モールド成形時の成形時間が長くなって生産性が悪く、また、反りやねじり等の不良が発生しやすいという問題があった。
【００１３】
本発明は、このような問題に鑑みてなされたもので、その目的は、部品を小型化するとともに共通化し、スタンダード型およびリバース型に容易に変更することができ、スタンド高さの変更も容易で、生産性に優れたカード用コネクタを提供することにある。
【課題を解決するための手段】
【００１４】
前述した目的を達成するために、本発明は、基板上に搭載され、該基板とカードを電気的に接続するカード用コネクタであって、前方に開口するカード挿入空間を有し、該カード挿入空間の内壁部に前記カードの挿入向きを規定するキーを有するベースフレームと、前記ベースフレームに保持され、一端が前記挿入空間内に突出する複数のコンタクトと、前記ベースフレームの左右両側部から前方に延び、前記カードを前記挿入空間内の前記コンタクトに接続案内する左右一対のサイドフレームとを備え、前記サイドフレームの下面には基板に対する取り付けスタンドが設けられているカード用コネクタにおいて、前記ベースフレームは、その左右両側部に第１の係合部を有し、前記左右一対のサイドフレームは、前記ベースフレームの左右両側部と対向する内側部に第２の係合部を有し、前記第１の係合部を前記第２の係合部に係合することにより、前記左右一対のサイドフレームを前記ベースフレームの両側部に連結してなることを特徴とするカード用コネクタである。
【００１５】
前記第１の係合部と前記第２の係合部は、前記ベースフレームの左右両側部に前記一対のサイドフレームの左右を入れ替えてかつ上下反転させて係合可能であるように構成するとよい。
【００１６】
前記第１の係合部は、前記ベースフレームの左右両側部の左右各側面高さ方向中央部から前方または後方に向けて突出した係合突起であり、前記第２の係合部は、前記ベースフレームの両側部が嵌入する凹部と、該凹部の底部に前記係合突起が挿通、係合するように設けられた係合穴とで構成するとよい。
【００１７】
前記係合突起は、前記左右両側部の左右各側面前端から前方に突出するように構成してもよい。
【００１８】
前記係合突起は、前記左右両側部の左右各側面後端から後方に突出するように構成してもよい。
【００１９】
前記第１の係合部は、前記ベースフレームの左右両側部の左右各側面高さ方向中央部に設けられた前後方向に延びる蟻ホゾであり、前記第２の係合部は、後方に開口し前記ベースフレームの両側部が嵌入する凹部と、該凹部の底部に設けられた前記蟻ホゾが係合する蟻溝であるように構成してもよい。
【００２０】
さらに、前記カード用コネクタは、前記ベースフレームの後面から突出する前記コンタクトに挿通され該コンタクトを整列させるロケータをさらに有し、該ロケータの左右両端部を前記左右のサイドフレームの後端部に連結するように構成してもよい。
【００２１】
本発明では、ベースフレームと、一対のサイドフレームが別体の部品となっている。
【００２２】
そのため、ベースフレームとサイドフレームを一体に形成した場合と比べ、部品が小型化されるので、成形時間が短くなり、また、反りやねじり等の不良が発生し難く、生産性がよい。
【００２３】
また、本発明では、ベースフレームの左右両側部に一対のサイドフレームの左右を入れ替えて結合可能である。
【００２４】
そのため、スタンダード型とリバース型のいずれの型にも利用可能であり、部品を共通化することができる。
【００２５】
また、スタンドオフ高さの異なるコネクタを製造する場合、スタンドオフ高さの異なるサイドフレームだけを用意すればよく、他の部品は共通化できるので、生産性がよい。
【発明の効果】
【００２６】
本発明によれば、部品を小型化、共通化し、スタンダード型およびリバース型に容易に変更することができ、スタンド高さの変更も容易で、生産性に優れたカード用コネクタを提供することができる。
【発明を実施するための最良の形態】
【００２７】
以下、図面に基づいて本発明に好適な実施形態を詳細に説明する。
【００２８】
まず、図１および図２を参照して、本実施形態に係るカード用コネクタ１の概略構成を説明する。なお、図１に示すように、説明の便宜上、矢印が示す方向を前後、左右および上下方向として説明する。
【００２９】
ここでは、カード用コネクタ１として、後述する基板７１上に搭載され、ＰＣカードであるカード１１と、基板７１とを電気的に接続するカード用コネクタが例示されている。
【００３０】
なお、詳細は後述するが、図１および図２に示すカード用コネクタ１は基板の表面に搭載するスタンダード型として組み立てられている。
【００３１】
図１および図２に示すように、カード用コネクタ１は、全体が平面視コ字状で、ベースフレーム３、左右一対のサイドフレーム５ａ、５ｂ、複数のコンタクト７、ロケータ９を有している。
【００３２】
図１および図２に示すように、カード用コネクタ１は、カード１１と基板７１とを電気的に接続する、水平部と垂直部からなるＬ字形の棒状のコンタクト７を有している。
【００３３】
コンタクト７は、ベースフレーム３に貫通保持されている。ベースフレーム３の前部はカード挿入空間４７として開口しており、コンタクト７の一方の端部７ａはカード挿入空間４７内に突出している。
【００３４】
ベースフレーム３の左右両側部には、カード１１をコンタクト７に接続する際のガイドとなり、かつ挿入されたカード１１を保持するサイドフレーム５ａ、５ｂが着脱可能に設けられている。サイドフレーム５ａ、５ｂはベースフレーム３の左右両側部から前方に平行に延びている。
【００３５】
また、サイドフレーム５ａとサイドフレーム５ｂの後端部間を連結するようにしてロケータ９がさらに設けられており、ベースフレーム３の後面から突出するコンタクト７の垂直部はロケータ９を貫通して設けられ、コンタクト７を整列している。
【００３６】
このように、カード用コネクタ１はベースフレーム３、サイドフレーム５ａ、５ｂが一体となっておらず、着脱可能な別の部品となっている。
【００３７】
そのため、ベースフレーム３とサイドフレーム５ａ、５ｂを一体に成形した場合と比べ、部品の大型化や形状の複雑化の問題が少なく、生産性が良好であり、不良も発生しにくい。
【００３８】
なお、挿入されるカード１１は、図１に示すような長方形の板状の形状を有しており、一方の端部１３ｃにはカード用コネクタ１のコンタクト７と電気的に接続するコネクタ部（図示せず）を有し、端部１３ｃ側の両側部にはそれぞれ形状の異なる切り欠き部１５ａ、１５ｂが設けられている。
【００３９】
また、カード１１の左右両側部には、接地用の電極１４ａ、１４ｂが設けられている。
【００４０】
次に、図３〜図６を参照して、カード用コネクタ１の各構成部材の構造を詳細に説明する。
【００４１】
まず、図３および図４を参照して、ベースフレーム３の構造について説明する。
【００４２】
図３および図４に示すように、ベースフレーム３は前方の一面がカード挿入空間４７として開放された箱型の形状を有する本体４１を有している。
【００４３】
本体４１は、サイドフレーム５ａ、５ｂの凹部３５ａ、３５ｂ（後述）に連結される左側部４３ａ、右側部４３ｂを有している。
【００４４】
本体４１の、カード挿入空間４７の底部には、後側の面４５に貫通し、コンタクト７の水平部を貫通保持するコンタクト穴４９が設けられている。
【００４５】
また、左側部４３ａ、右側部４３ｂの左右各側面前端部には、高さ（上下）方向中央部から前方に突出する係合突起５１ａ、５１ｂが設けられている。係合突起５１ａ、５１ｂは左右両側部４３ａ、４３ｂとサイドフレーム５ａ、５ｂとを係合する際に、係合穴３７ａ、３７ｂ（後述）に挿入、係合する。
【００４６】
さらに、カード挿入空間４７の左右の内側面には、カード１１を挿入する際に、カード１１を挿入する向きを限定するためのキー５３ａ、５３ｂが設けられている。
【００４７】
ここで、キー５３ａ、５３ｂの形状、位置はカード１１の切り欠き部１５ａ、１５ｂの形状、位置に対応している。
【００４８】
そのため、詳細は後述するが、カード１１を、図１の状態から裏返した状態で挿入することはできない。
【００４９】
即ち、キー５３ａ、５３ｂは、ベースフレーム３がカード１１を挿入する向きを規定している。
【００５０】
次に、サイドフレーム５ａ、５ｂの構造について、図３および図５を参照して説明する。
【００５１】
図３および図５に示すように、サイドフレーム５ａ、５ｂは角柱状の本体２１ａ、２１ｂを有している。
【００５２】
本体２１ａ、２１ｂの後側端部２８ａ、２８ｂの近傍の側部には、ベースフレーム３の左側部４３ａ、右側部４３ｂの形状に対応した形状を有する凹部３５ａ、３５ｂが設けられている。
【００５３】
凹部３５ａ、３５ｂの前方端側には、ベースフレーム３の係合突起５１ａ、５１ｂが挿入、係合される係合穴３７ａ、３７ｂが設けられている。
【００５４】
なお、係合穴３７ａ、３７ｂおよび係合突起５１ａ、５１ｂは、後述するように、ベースフレーム３とサイドフレーム５ａ、５ｂを連結する際の回動支点としても用いられる。
【００５５】
また、本体２１ａ、２１ｂの内側面には、凹部３５ａ、３５ｂから、本体２１ａ、２１ｂの前側端部２６ａ、２６ｂに向けて、長手方向に形成されたガイド溝３３ａ、３３ｂが設けられている。
【００５６】
ガイド溝３３ａ、３３ｂは、カード１１をベースフレーム３のカード挿入空間４７内のコンタクト７に挿入し、接続する際のガイドになる部分であり、また、カード１１が挿入された後は、カード１１を保持する部分でもある。
【００５７】
また、本体２１ａ、２１ｂの下面２２ａ、２２ｂには、カード用コネクタ１を基板７１上に取り付けるためのスタンドとしてのフロントスタンド２３ａ、２３ｂ、バックスタンド２５ａ、２５ｂが設けられている。
【００５８】
なお、フロントスタンド２３ａ、２３ｂは前側端部２６ａ、２６ｂの近傍に設けられ、バックスタンド２５ａ、２５ｂは後側端部２８ａ、２８ｂの近傍に設けられている。
【００５９】
フロントスタンド２３ａ、２３ｂおよびバックスタンド２５ａ、２５ｂの高さ（上下）寸法は、基板７１上でのカード用コネクタ１の取り付け高さを規定するもので、用途により変わる。
【００６０】
なお、図３に示すように、本体２１ａ、２１ｂにはその上面２４ａ、２４ｂから、フロントスタンド２３ａ、２３ｂの下面に貫通するアースラグホール２７ａ、２７ｂが設けられている。
【００６１】
アースラグホール２７ａ、２７ｂにはアースラグ１７ａ、１７ｂが装着される。
【００６２】
アースラグ１７ａ、１７ｂは、アースラグホール２７ａ、２７ｂに挿入された状態では、その下端の二股係止片がフロントスタンド２３ａ、２３ｂの下面から下方に突出し、その中間の接触片がガイド溝３３ａ、３３ｂ内に突出する。接触片はガイド溝３３ａ、３３ｂにカード１１を挿入したとき、カード１１の側面の接地用の電極１４ａ、１４ｂに接触する。二股係止片は後述する基板７１にフロントスタンド２３ａ、２３ｂを取り付けるときに、基板７１のスルーホールに係止固定するとともに、カード１１を基板７１に接地する。
【００６３】
一方、バックスタンド２５ａ、２５ｂの下面には、バックスタンド２５ａ、２５ｂを後述する基板７１に取り付けるためのボスピン１９ａ、１９ｂが設けられている。
【００６４】
さらに、バックスタンド２５ａ、２５ｂの下面には、バックスタンド２５ａ、２５ｂとロケータ９を連結するための凹部２９ａ、２９ｂが設けられている。
【００６５】
凹部２９ａ、２９ｂの底面には、後述するロケータ９の穴部６１ａ、６１ｂが圧入される固定軸３１ａ、３１ｂが設けられている。
【００６６】
なお、サイドフレーム５ａとサイドフレーム５ｂは、互いに左右対称形状であり、ガイド溝３３ａ、３３ｂが対向するようにしてベースフレーム３に連結される。
【００６７】
次に、ロケータ９の構造について、図６を参照して説明する。
【００６８】
図６に示すように、ロケータ９は長板状の本体５５を有し、本体５５の表面には、コンタクト７が貫通する貫通孔としての整列穴５７が設けられている。
【００６９】
本体５５の両端には、バックスタンド２５ａ、２５ｂの凹部２９ａ、２９ｂに挿入される凸部５９ａ、５９ｂが設けられている。
【００７０】
凸部５９ａ、５９ｂは、凹部２９ａ、２９ｂの形状に対応した形状を有している。
【００７１】
凸部５９ａ、５９ｂには、バックスタンド２５ａ、２５ｂの固定軸３１ａ、３１ｂが圧入される穴部６１ａ、６１ｂが設けられている。
【００７２】
穴部６１ａ、６１ｂは、固定軸３１ａ、３１ｂの形状に対応した形状を有している。
【００７３】
次に、ベースフレーム３、サイドフレーム５ａ、５ｂ、コンタクト７、ロケータ９を組み合わせてカード用コネクタ１を製造する方法について、図７〜図１３を参照して説明する。
【００７４】
まず、カード用コネクタ１をスタンダード型として製造する方法について説明する。
【００７５】
最初に、図７に示すように、コンタクト７を図７のＤの向きに移動し、コンタクト７の一方の端部７ａをベースフレーム３の後側の面４５側（図４参照）からコンタクト穴４９に挿入し、貫通保持させる。
【００７６】
このとき、コンタクト７の他の端部７ｂが、ベースフレーム３の下面４１ｂ側を向くように挿入する。
【００７７】
次に、サイドフレーム５ａをベースフレーム３と連結する。
【００７８】
具体的には、まず、図８に示すように、左側部４３ａの係合突起５１ａを凹部３５ａの係合穴３７ａに斜め後方から挿入し、係合穴３７ａの前縁部に係合する。この際、サイドフレーム５ａの上面２４ａが、ベースフレーム３の上面４１ａと同じ向きとなるようにする。
【００７９】
次に、係合突起５１ａを係合穴３７ａに挿入、係合した状態で、その挿入係合部分を支点にして、ベースフレーム３をその左側面が凹部３５ａの底面に密着するように図８、図９のＢ１の向きに回転させ、左側部４３ａをサイドフレーム５ａの凹部３５ａに圧入して嵌合する。
【００８０】
なお、係合突起５１ａと係合穴３７ａとの係合部分を支点にして、サイドフレーム５ａを図８、図９のＢ２の向きに回転させて嵌合してもよい。
【００８１】
このようにして、図１０に示すように、サイドフレーム５ａがベースフレーム３と連結される。
【００８２】
次に、サイドフレーム５ａと同様に、サイドフレーム５ｂをベースフレーム３と連結する。
【００８３】
即ち、図示は省略するが、まず、右側部４３ｂの係合突起５１ｂを凹部３５ｂの係合穴３７ｂに斜め方向から挿入、係合する。この際、サイドフレーム５ｂの上面２４ｂが、ベースフレーム３の上面４１ａと同じ向きとなるようにする。
【００８４】
次に、係合突起５１ｂを係合穴３７ｂに挿入、係合した状態で、その挿入係合部分を支点にしてベースフレーム３を回転させ、右側部４３ｂをサイドフレーム５ｂの凹部３５ｂに圧入して嵌合する。
【００８５】
このようにして、サイドフレーム５ｂがベースフレーム３と連結される。
【００８６】
サイドフレーム５ａ、５ｂがベースフレーム３に連結された状態では、係合突起５１ａ、５１ｂが係合穴３７ａ、３７ｂを介してサイドフレーム５ａ、５ｂの外側面に係合し、サイドフレーム５ａ、５ｂの左右方向の動きを規制する。また、左右両側部４３ａ、４３ｂが凹部３５ａ、３５ｂに嵌入してサイドフレーム５ａ、５ｂの上下および前後方向の動きを規制する。
【００８７】
サイドフレーム５ａ、５ｂがベースフレーム３と連結されると、次に、ロケータ９をサイドフレーム５ａ、５ｂと連結する。
【００８８】
具体的には、ロケータ９を図１１に示すように、コンタクト７の端部７ｂの下側に配置し、同図中Ａ３の向きに移動し、凸部５９ａ、５９ｂをサイドフレーム５ａ、５ｂの凹部２９ａ、２９ｂに挿入し、サイドフレーム５ａ、５ｂの固定軸３１ａ、３１ｂ（図５参照）をロケータ９の穴部６１ａ、６１ｂに圧入固定する。このように、ロケータ９をサイドフレーム５ａ、５ｂに連結することにより、ベースフレーム３に対するサイドフレーム５ａ、５ｂの連結を、より強固にできる。
【００８９】
この際、コンタクト７の垂直部分をロケータ９の整列穴５７に挿入する。
【００９０】
なお、アースラグ１７ａ、１７ｂのサイドフレーム５ａ、５ｂへの装着は、必要に応じて、上記のいずれかの工程の間に行う。
【００９１】
このようにして、スタンダード型のカード用コネクタ１が完成する。
【００９２】
カード用コネクタ１を基板７１に搭載接続する際は、バックスタンド２５ａ、２５ｂの下面から突出するボスピン１９ａ、１９ｂを基板７１に設けられた図示しない穴部に挿入、係止する。
【００９３】
また、フロントスタンド２３ａ、２３ｂの下面から突出するアースラグ１７ａ、１７ｂの二股係止片を基板７１に設けられた図示しないスルーホールに挿入、係止する。
【００９４】
また、コンタクト７の端部７ｂを基板７１に設けられた図示しないスルーホールに挿入し、半田付けする。なお、スルーホールに挿入、係止したアースラグ１７ａ、１７ｂの二股係止片をさらに半田付けしてもよい。
【００９５】
このようにして、図１２（ａ）に示すように、スタンダード型のカード用コネクタ１が基板７１の上面７１ａに搭載接続される。
【００９６】
なお、図１２（ａ）ではベースフレーム３は基板７１と接触していない。
【００９７】
ここで、図１２（ａ）に示すように、ベースフレーム３は、上面４１ａが基板７１の上面７１ａと同じ向きになっている。
【００９８】
また、下面４１ｂが基板７１の下面７１ｂと同じ向きになっている。
【００９９】
次に、このようにして製造したカード用コネクタ１にカード１１を挿入する際の手順について図１を参照して説明する。
【０１００】
まず、図１に示すように、カード１１を、上面１３ａが、ベースフレーム３の上面４１ａと同じ向きになるようにする。
【０１０１】
次に、カード１１を図１のＡ２の向きに移動し、サイドフレーム５ａ、５ｂのガイド溝３３ａ、３３ｂ（図５参照）をガイドにして、カード１１の端部１３ｃをベースフレーム３のカード挿入空間４７に挿入する。
【０１０２】
挿入の際は、同時に、端部１３ｃの図示しないコネクタ部にコンタクト７の端部７ａが挿入、接触し、コンタクト７とカード１１を電気的に接続する。
【０１０３】
この際、カード１１の側面の接地用の電極１４ａ、１４ｂはアースラグ１７ａ、１７ｂの接触片と接触するため、アースラグ１７ａ、１７ｂの二股状係止片が基板７１のスルーホールに接続されていれば、カード１１はそのスルーホールを介して基板７１の接地回路に接続される。
【０１０４】
ここで、カード挿入空間４７の左右の内壁面には、キー５３ａ、５３ｂが設けられ、キー５３ａ、５３ｂの形状、位置はカード１１の切り欠き部１５ａ、１５ｂの形状、位置に対応している。
【０１０５】
そのため、カード１１は、切り欠き部１５ａ、１５ｂとキー５３ａ、５３ｂがかみ合う向き、即ちカード１１の上面１３ａが、ベースフレーム３の上面４１ａと同じ向きになるような向きでなければカード挿入空間４７内に挿入できない。
【０１０６】
そのため、カード用コネクタ１は、カード１１が誤って表裏逆向きで挿入されるのを防ぐことができる。
【０１０７】
カード１１の端部１３ｃが、カード挿入空間４７の底面に突き当たる位置に達すると、挿入を終了する。
【０１０８】
次に、上述のベースフレーム３、サイドフレーム５ａ、５ｂ、コンタクト７、ロケータ９を組み合わせてリバース型のカード用コネクタ１を製造する方法について簡単に説明する。
【０１０９】
最初に、コンタクト７の一方の端部７ａを、ベースフレーム３の後側の面４５側（図４参照）からコンタクト穴４９に挿入し、貫通保持させる。
【０１１０】
このとき、コンタクト７の他の端部７ｂが、ベースフレーム３の上面４１ａ側を向くようにする。
【０１１１】
次に、サイドフレーム５ａ、５ｂをベースフレーム３と連結する。
【０１１２】
具体的には、ベースフレーム３の右側部４３ｂの係合突起５１ｂをサイドフレーム５ａの凹部３５ａの係合穴３７ａに挿入、係合し、その挿入、係合部分を支点にしてベースフレーム３を回転させ、右側部４３ｂを凹部３５ａに圧入、嵌合する。この際、サイドフレーム５ａの上面２４ａが、ベースフレーム３の下面４１ｂと同じ向きとなるようにする。
【０１１３】
次に、サイドフレーム５ｂを同様にベースフレーム３と連結する。
【０１１４】
具体的には、ベースフレーム３の左側部４３ａをサイドフレーム５ｂの凹部３５ｂに圧入、嵌合する。この際、サイドフレーム５ｂの上面２４ｂが、ベースフレーム３の下面４１ｂと同じ向きとなるようにする。
【０１１５】
すなわち、リバース型の場合は、ベースフレーム３の左右両側部に左右のサイドフレーム５ａ、５ｂを左右逆に入れ替え、かつ上下を反転させて連結する。
【０１１６】
次に、ロケータ９をスタンダード型の場合と同様にしてサイドフレーム５ａ、５ｂと連結する。
【０１１７】
なお、アースラグ１７ａ、１７ｂのサイドフレーム５ａ、５ｂへの装着は、必要に応じて、上記のいずれかの工程の間に行う。
【０１１８】
このようにして、サイドフレーム５ｂがベースフレーム３と連結され、図１３に示すようなリバース型のカード用コネクタ１が完成する。
【０１１９】
このようなリバース型のカード用コネクタは図１２（ｂ）で示すように、基板７１に搭載接続される。
【０１２０】
このとき、フロントスタンド２３ａ、２３ｂの下面から突出するアースラグ１７ａ、１７ｂの二股係止片およびバックスタンド２５ａ、２５ｂのボスピン１９ａ、１９ｂは基板７１に設けられた図示しないスルーホールおよび穴部に挿入係止する。また、コンタクト７の端部７ｂは、基板７１に設けられた図示しないスルーホールに挿入し、半田付けする。
【０１２１】
このようにして、図１２（ｂ）に示すように、リバース型のカード用コネクタ１が基板７１の下面７１ｂに取り付けられる。
【０１２２】
ここで、図１２（ｂ）に示すように、ベースフレーム３は、スタンダード型と同様、上面４１ａが基板７１の上面７１ａと同じ向きになっている。
【０１２３】
また、下面４１ｂが基板７１の下面７１ｂと同じ向きになっている。
【０１２４】
そのため、カード１１を挿入する際は、スタンダード型と同様、上面１３ａを、基板７１の上面７１ａと同じ向きになるように挿入することができる。
【０１２５】
このように、第１の実施形態によれば、カード用コネクタ１は、サイドフレーム５ａ、サイドフレーム５ｂをベースフレーム３の左側部４３ａ、右側部４３ｂのいずれとも連結できる。
【０１２６】
即ち、カード用コネクタ１は、サイドフレーム５ａ、５ｂを左右入れ替えて、かつ上下反転させてベースフレーム３の左側部４３ａ、右側部４３ｂに連結することで、スタンダード型としてもリバース型としても使用できる。
【０１２７】
そのため、カード用コネクタ１を構成するベースフレーム３、サイドフレーム５ａ、５ｂ、コンタクト７、ロケータ９の部品を共通化でき、スタンダード型とリバース型にそれぞれ対応する部品を個別に製造する必要はない。
【０１２８】
また、ベースフレーム３、サイドフレーム５ａ、サイドフレーム５ｂは一体ではなく、別体の部品となっている。
【０１２９】
そのため、一体化した場合と比べ、部品の大型化や形状の複雑化の問題が少なく、生産性が良好であり、不良も発生しにくい。
【０１３０】
また、ベースフレーム３とサイドフレーム５ａ、５ｂの連結は、ベースフレーム３の係合突起５１ａ、５１ｂをサイドフレーム５ａ、５ｂの係合穴３７ａ、３７ｂに挿入、係合し、ベースフレーム３を回転させるだけの極めて簡単な操作でできる。また、係合突起５１ａ、５１ｂが係合穴３７ａ、３７ｂの側縁に係合し、かつ、左側部４３ａ、右側部４３ｂが凹部３５ａ、３５ｂに圧入、嵌合するので、確実強固に連結することができる。
【０１３１】
次に、第２の実施形態に係るカード用コネクタ１ａの構造について、図１４を参照して説明する。
【０１３２】
第２の実施形態に係るカード用コネクタ１ａは、第１の実施形態において、ベースフレーム７７の左右各側部４３ａ、４３ｂの左右各側面に設けられる係合突起７９ａ、７９ｂを、前端部ではなく、後端部に設けたものである。
【０１３３】
なお、第２の実施形態において、第１の実施形態と同様の機能を果たす要素には同一の番号を付し、説明を省略する。
【０１３４】
図１４に示すように、カード用コネクタ１ａは、ベースフレーム７７の左側部４３ａ、右側部４３ｂに係合突起７９ａ、７９ｂが設けられている。
【０１３５】
係合突起７９ａ、７９ｂは左右各側部４３ａ、４３ｂの左右各側面の後端部の高さ（上下）方向中央部から後方に突出するように設けられている。
【０１３６】
このように、係合突起７９ａ、７９ｂは前端部ではなく、後端部に設けてもよい。
【０１３７】
また、サイドフレーム７５ｂの凹部３５ｂに設けられた係合穴８１ｂも、係合突起７９ｂの位置に対応して、凹部３５ｂの後方端側に設けられている。
【０１３８】
また、図示はしないが、サイドフレーム７５ａも同様である。
【０１３９】
第２の実施形態によれば、ベースフレーム７７とサイドフレーム７５ａ、７５ｂは、第１の実施形態と同様、係合突起７９ａ、７９ｂを係合穴８１ａ（図示せず）、８１ｂに斜め方向から挿入、係合し、ベースフレーム７７を回転することで、その左右各側部４３ｂ、４３ａを凹部３５ａ、３５ｂ（図示せず）に圧入嵌合し、連結できる。また、ベースフレーム７７の左右両側部４３ｂ、４３ａに左右のサイドフレーム７５ｂ、７５ａを左右逆に入れ替えて、かつ上下反転させて連結できる。
【０１４０】
従って、第１の実施形態と同様の効果を奏する。
【０１４１】
次に、第３の実施形態に係るカード用コネクタ１ｂの構造について、図１５を参照して説明する。
【０１４２】
第３の実施形態に係るカード用コネクタ１ｂは、第１の実施形態において、フロントスタンド８７ａ、８７ｂおよびバックスタンド８９ａ、８９ｂの高さを、フロントスタンド２３ａ、２３ｂおよびバックスタンド２５ａ、２５ｂより高くしたものである。
【０１４３】
なお、第３の実施形態において、第１の実施形態と同様の機能を果たす要素には同一の番号を付し、説明を省略する。
【０１４４】
図１５に示すように、カード用コネクタ１ｂは、サイドフレーム８５ａのフロントスタンド８７ａ、バックスタンド８９ａおよびサイドフレーム８５ｂのフロントスタンド８７ｂ、バックスタンド８９ｂの高さが、第１の実施形態よりも高くなっており、いわゆるスタンドオフ高さ違いのフレームとなっている。
【０１４５】
ここで、カード用コネクタ１ｂは、ベースフレーム３、サイドフレーム８５ａ、サイドフレーム７５ｂが別々の部品となっている。
【０１４６】
そのため、ベースフレーム３は第１の実施形態と同じものを用いることができ、スタンドオフ高さ違いのフレームが必要な場合でも、製造に用いる部品の一部を、第１の実施形態に係るカード用コネクタ１の部品から流用できる。
【０１４７】
すなわち、基板に対する取付高さの異なるカード用コネクタ１ｂを製造する場合、スタンド高さの異なるサイドフレーム８５ａ、８５ｂだけを用意すればよく、他の部品は流用できる。
【０１４８】
このように、第３の実施形態によれば、カード用コネクタ１ｂは、ベースフレーム３、サイドフレーム８５ａ、サイドフレーム８５ｂ、コンタクト７、ロケータ９を有している。
【０１４９】
従って、第１の実施形態と同様の効果を奏する。
【０１５０】
次に、第４の実施形態に係るカード用コネクタ１ｃの構造について、図１６を参照して説明する。
【０１５１】
第４の実施形態に係るカード用コネクタ１ｃは、第１の実施形態において、ベースフレーム９１の係合突起１１１ａ、１１１ｂを蟻ホゾ状の形状とし、サイドフレーム９３ａ、９３ｂ（図示せず）の係合穴１０３ａ、１０３ｂ（図示せず）を蟻溝状の形状としたものである。
【０１５２】
なお、第４の実施形態において、第１の実施形態と同様の機能を果たす要素には同一の番号を付し、説明を省略する。
【０１５３】
図１６に示すように、ベースフレーム９１は本体１０９を有し、本体１０９の左側部１１０ａ、右側部１１０ｂの左右各側面には高さ（上下）方向中央部で前後方向に延びる蟻ホゾ状の形状を有する係合突起１１１ａ、１１１ｂが設けられている。
【０１５４】
左右両側部の後面側には穴部１１３ａ、１１３ｂが、上面４１ａから下面４１ｂを貫通して設けられている。
【０１５５】
一方、サイドフレーム９３ａの凹部３５ａの底部には、蟻溝状の形状を有する係合穴１０３ａが設けられている。
【０１５６】
係合穴１０３ａの形状は、係合突起１１１ａの形状と対応した形状を有している。
【０１５７】
同様に、図示はしないが、サイドフレーム９３ｂの凹部３５ｂには、蟻溝状の形状を有する係合穴１０３ｂが設けられている。
【０１５８】
係合穴１０３ｂの形状は、係合突起１１１ｂの形状と対応した形状を有している。
【０１５９】
なお、凹部３５ａ、３５ｂおよび係合穴１０３ａ、１０３ｂは、本体１０１ａ、１０１ｂのバックスタンド２５ａ、２５ｂ側の後側端部２８ａ、２８ｂ側に開放して設けられており、凹部３５ａ、３５ｂの端部近傍には、本体１０１ａ、１０１ｂの後側端部２８ａ、２８ｂ側には、凹部３５ａ、３５ｂを介して上下に貫通する穴部１０５ａ、１０５ｂ（図示せず）が設けられている。
【０１６０】
さらに、ロケータ９９は棒状の本体１１５を有し、本体１１５の一方の端部には、穴部１１３ａ、１０５ａに対応した形状を有する固定軸１２１ａが設けられている。
【０１６１】
また、本体１１５の他の端部には、穴部１１３ｂ、１０５ｂの形状に対応した固定軸１２１ｂが設けられている。
【０１６２】
次に、ベースフレーム９１、サイドフレーム９３ａ、９３ｂ、コンタクト７（図示せず）、ロケータ９９を組み合わせてカード用コネクタ１ｃを製造する方法について、説明する。
【０１６３】
まず、カード用コネクタ１ｃをスタンダード型として製造する方法について図１６を参照して説明する。
【０１６４】
最初に、第１の実施形態と同様に、ベースフレーム９１のコンタクト穴４９に、図示しないコンタクト７の一方の端部７ａを挿入し、貫通保持させる。
【０１６５】
このとき、コンタクト７の他の端部７ｂが、ベースフレーム９１の下面４１ｂ側を向くように挿入する。
【０１６６】
次に、ベースフレーム９１をサイドフレーム９３ａと連結する。
【０１６７】
具体的には、ベースフレーム９１の左側部１１０ａ、係合突起１１１ａをサイドフレーム９３ａの凹部３５ａ、係合穴１０３ａにそれぞれ挿入し、圧入、嵌合する。
【０１６８】
この際、左側部１１０ａ、係合突起１１１ａをサイドフレーム９３ａのバックスタンド８９ａの後側端部２８ａ側から、Ｅの向きに移動させ、凹部３５ａ、係合穴１０３ａ内にスライドさせて挿入する。
【０１６９】
挿入の際には、穴部１１３ａと穴部１０５ａの中心が一致するようにする。
【０１７０】
次に、サイドフレーム９３ａを連結する場合と同様に、ベースフレーム９１をサイドフレーム９３ｂと連結する。
【０１７１】
具体的には、図示はしないが、ベースフレーム９１の右側部１１０ｂ、係合突起１１１ｂをサイドフレーム９３ｂの凹部３５ｂ、係合穴１０３ｂにそれぞれ挿入し、圧入、嵌合する。
【０１７２】
この際、右側部１１０ｂ、係合突起１１１ｂをサイドフレーム９３ｂのバックスタンド８９ｂの後側端部２８ｂ側から、凹部３５ｂ、係合穴１０３ｂ内にスライドさせて挿入する。
【０１７３】
挿入の際には、穴部１１３ｂと穴部１０５ｂの中心が一致するようにする。
【０１７４】
次に、ロケータ９９の固定軸１２１ａ、１２１ｂをベースフレーム９１の下面４１ｂ側から図１６のＥ２の向きに移動させ、穴部１０５ａ、１０５ｂおよび１１３ａ、１１３ｂ圧入する。
【０１７５】
この際、整列穴５７を図示しないコンタクト７の垂直部が貫通し、整列される。
【０１７６】
このようにして、スタンダード型のカード用コネクタ１ｃが完成する。
【０１７７】
ここで、ベースフレーム９１は蟻ホゾ状の係合突起１１１ａ、１１１ｂが蟻溝状の係合穴１０３ａ、１０３ｂに挿入されているため、係合突起と係合穴の存在により、ベースフレーム９１に対するサイドフレーム９３ａ、９３ｂの上下左右方向の移動を規制される。
【０１７８】
一方、ロケータ９９の固定軸１２１ａが穴部１１３ａ、穴部１０５ａに挿入され、固定軸１２１ｂが穴部１１３ｂ、穴部１０５ｂに挿入されているため、固定軸１２１ａ、１２１ｂの存在により、ベースフレーム９１に対するサイドフレーム９３ａ、９３ｂの前後方向への移動を規制される。
【０１７９】
このように、カード用コネクタ１ｃは、蟻ホゾ、蟻溝および固定軸によりベースフレーム９１とサイドフレーム９３ａ、９３ｂを連結、固定している。
【０１８０】
次に、カード用コネクタ１ｃをリバース型として製造する方法について簡単に説明する。
【０１８１】
まず、コンタクト穴４９に図示しないコンタクト７の一方の後側端部２８ａを挿入し、貫通保持させる。その際、端部７ｂが、ベースフレーム９１の上面４１ａ側を向くように挿入する。
【０１８２】
次に、サイドフレーム９３ａ、９３ｂを、スタンダード型の場合と異なり、その左右を入れ替え、かつ上下を反転させて、ベースフレーム９１の左側部１１０ａ、係合突起１１１ａをサイドフレーム９３ｂの凹部３５ｂ、係合穴１０３ｂにそれぞれ挿入し、ベースフレーム９１の右側部１１０ｂ、係合突起１１１ｂをサイドフレーム９３ａの凹部３５ａ、係合穴１０３ａにそれぞれ挿入する。
【０１８３】
次に、ロケータ９９の固定軸１２１ａ、１２１ｂをベースフレーム９１の上面４１ａ側から穴部１１３ａ、１１３ｂに圧入する。
【０１８４】
この際、整列穴５７を図示しないコンタクト７の垂直部が貫通し、整列させる。
【０１８５】
このようにして、リバース型のカード用コネクタ１ｃが完成する。
【０１８６】
このように、第４の実施形態によれば、カード用コネクタ１ｃがベースフレーム９１、サイドフレーム９３ａ、９３ｂ、コンタクト７、ロケータ９９を有している。
【０１８７】
従って、第１の実施形態と同様の効果を奏する。
【０１８８】
上記した実施形態では、本発明を、ＰＣカードであるカード１１と基板７１との接続用のカード用コネクタ１に適用した場合について説明したが、本発明は、何等、これに限定されることなく、ＰＣカード以外のカードを接続対象とするカード用コネクタにも用いることができる。
【図面の簡単な説明】
【０１８９】
【図１】図１（ａ）はスタンダード型のカード用コネクタ１およびカード１１を示す斜視図であって、図１（ｂ）は図１（ａ）のカード１１のＡ１方向矢視図である。
【図２】図１（ａ）のカード用コネクタ１を裏返しにした状態を示す図である。
【図３】図１（ａ）のカード用コネクタ１の分解斜視図である。
【図４】図４（ａ）はベースフレーム３を示す斜視図であって、図４（ｂ）は図４（ａ）のＣ方向矢視図である。
【図５】図５（ａ）はサイドフレーム５ａを示す側面図であって、図５（ｂ）はサイドフレーム５ｂを示す側面図である。
【図６】ロケータ９を示す斜視図である。
【図７】カード用コネクタ１を製造する手順を示す図である。
【図８】カード用コネクタ１を製造する手順を示す図である。
【図９】カード用コネクタ１を製造する手順を示す図である。
【図１０】カード用コネクタ１を製造する手順を示す図である。
【図１１】カード用コネクタ１を製造する手順を示す図である。
【図１２】図１２（ａ）はスタンダード型のカード用コネクタ１を基板７１に連結した状態を示す図であって、図１２（ｂ）はリバース型のカード用コネクタ１を基板７１に連結した状態を示す図である。
【図１３】リバース型のカード用コネクタ１を示す斜視図である。
【図１４】カード用コネクタ１ａを示す分解斜視図であって、サイドフレーム７５ａ、ロケータ９、アースラグ１７ｂは記載を省略している。
【図１５】カード用コネクタ１ｂを示す斜視図である。
【図１６】カード用コネクタ１ｃを示す分解斜視図であって、サイドフレーム９３ｂ、コンタクト７、アースラグ１７ａは記載を省略している。
【符号の説明】
【０１９０】
１…………カード用コネクタ
１ａ………カード用コネクタ
１ｂ………カード用コネクタ
１ｃ………カード用コネクタ
３…………ベースフレーム
５ａ………サイドフレーム
７…………コンタクト
９…………ロケータ
１１………カード
１５ａ……切り欠き部
１７ａ……アースラグ
１９ａ……ボスピン
２１ａ……本体
２３ａ……フロントスタンド
２５ａ……バックスタンド
２７ａ……アースラグホール
２９ａ……凹部
３１ａ……固定軸
３３ａ……ガイド溝
３５ａ……凹部
３７ａ……係合穴
４１………本体
４３ａ……左側部
４７………カード挿入空間
４９………コンタクト穴
５１ａ……係合突起
５７………整列穴
５９ａ……凸部
６１ａ……穴部
７１………基板
【図１】
2009146765.tif 000003
【図２】
2009146765.tif 000004
【図３】
2009146765.tif 000005
【図４】
2009146765.tif 000006
【図５】
2009146765.tif 000007
【図６】
2009146765.tif 000008
【図７】
2009146765.tif 000009
【図８】
2009146765.tif 000010
【図９】
2009146765.tif 000011
【図１０】
2009146765.tif 000012
【図１１】
2009146765.tif 000013
【図１２】
2009146765.tif 000014
【図１３】
2009146765.tif 000015
【図１４】
2009146765.tif 000016
【図１５】
2009146765.tif 000017
【図１６】
2009146765.tif 000018